(57)【特許請求の範囲】
【請求項１】
変速機(M)をクランク軸(20)の垂直方向側方に備え、左右割りのクランクケースに跨って取り付けられるとともにシリンダ(12a)の下部が挟まれて設けられるシリンダブロック(12)を前記変速機(M)側に傾斜させて斜め上方に起立させた内燃機関において、
クランク軸(20)に関して前記変速機(M)とは反対側であってクランク軸(20)より上方位置にバランサ軸(55)が配置され、
前記バランサ軸(55)のバランスウエイト(55w)の回転軌跡の上部がシリンダ(12a)の最下端(Ls)よりも上方に位置し、
前記バランサ軸(55)はシリンダ(12a)の最下端(Ls)より下方に位置し、
前記バランサ軸(55)の上方で前記シリンダ(12a)の側方にエンジンハンガー(11a)がバランスウエイト(55w)の回転軌跡の前後幅内に設けられることを特徴とする内燃機関の軸配置構造。
【請求項２】
前記変速機(M)における入力軸(21)に前記クランク軸(20)の回転を伝達制御する変速制御手段(50)が軸支され、
前記変速機(M)における前記入力軸(21)から動力伝達される出力軸(22)が、前記入力軸(21)に関して前記クランク軸(20)と反対側で前記入力軸(21)より上方に配置され、
前記変速制御手段(50)がシリンダ(12a)の下端と前記入力軸(21)の軸方向視で一部重なることを特徴とする請求項１記載の内燃機関の軸配置構造。
【請求項３】
前記内燃機関が変速機(M)を後方に向けて自動二輪車に搭載され、
前記クランク軸(20)と略同じ高さに前記入力軸(21)が配置され、
後輪を支持するリヤフォーク(6)の枢支軸(5)と略同じ高さに前記出力軸(22)が配置されることを特徴とする請求項２記載の内燃機関の軸配置構造。
【請求項４】
前記バランサ軸(55)は、そのバランスウエイト(55w)が前記クランク軸(20)の複数のクランクウエブ(20w)の間を回転する位置に配置されることを特徴とする請求項１から請求項３までのいずれか１項記載の内燃機関の軸配置構造。
【発明の詳細な説明】
【技術分野】
【０００１】
本発明は、内燃機関の軸配置構造に関する。
【背景技術】
【０００２】
車幅方向に指向したクランク軸の後方に変速機が配設された自動二輪車に搭載される内燃機関であって、クランク軸の上方に起立するシリンダが変速機側に後傾した内燃機関が、特許文献１等に開示されている。
【０００３】
【特許文献１】特開２００６−１５０７号公報
【０００４】
同特許文献１に開示された内燃機関には、クランク軸の前方にクランク軸と略同じ高さでバランサ軸が配置されており、バランサウエイトの回転軌跡はシリンダより下方に位置している。
また、クランク軸より後方の変速機の入力軸は多板クラッチを軸支してクランク軸より高い位置にあり、同入力軸より後方の出力軸はクランク軸と略同じ高さ位置にある。
【発明の開示】
【発明が解決しようとする課題】
【０００５】
バランサ軸がクランク軸と同じ高さで前方に位置するので、内燃機関は前後長が長くなって大型化していた。
また、クランク軸は、バランサ軸とともに比較的高い位置に配置され、内燃機関の重心が高かった。
【０００６】
本発明は、かかる点に鑑みなされたもので、その目的とする処は、内燃機関を小型化してマスの集中を図るとともに、内燃機関の重心を低く抑えることができる内燃機関の軸配置構造を供する点にある。
【課題を解決するための手段】
【０００７】
上記目的を達成するために、請求項１記載の発明は、変速機(M)をクランク軸(20)の垂直方向側方に備え、左右割りのクランクケースに跨って取り付けられるとともにシリンダ(12a)の下部が挟まれて設けられるシリンダブロック(12)を前記変速機(M)側に傾斜させて斜め上方に起立させた内燃機関において、クランク軸(20)に関して前記変速機(M)とは反対側であってクランク軸(20)より上方位置にバランサ軸(55)が配置され、前記バランサ軸(55)のバランスウエイト(55w)の回転軌跡の上部がシリンダ(12a)の最下端(Ls)よりも上方に位置し、前記バランサ軸(55)はシリンダ(12a)の最下端(Ls)より下方に位置し、前記バランサ軸(55)の上方で前記シリンダ(12a)の側方にエンジンハンガー(11a)がバランスウエイト(55w)の回転軌跡の前後幅内に設けられる内燃機関の軸配置構造とした。
【０００８】
請求項２記載の発明は、請求項１記載の内燃機関の軸配置構造において、前記変速機における入力軸に前記クランク軸の回転を伝達制御する変速制御手段が軸支され、前記変速機における前記入力軸から動力伝達される出力軸が、前記入力軸に関して前記クランク軸と反対側で前記入力軸より上方に配置され、前記変速制御手段がシリンダの下端と前記入力軸の軸方向視で一部重なることを特徴とする。
【０００９】
請求項３記載の発明は、請求項２記載の内燃機関の軸配置構造において、前記内燃機関が変速機を後方に向けて自動二輪車に搭載され、前記クランク軸と略同じ高さに前記入力軸が配置され、後輪を支持するリヤフォークの枢支軸と略同じ高さに前記出力軸が配置されることを特徴とする。
【００１０】
請求項４記載の発明は、請求項１から請求項３までのいずれか１項記載の内燃機関の軸配置構造において、前記バランサ軸は、そのバランスウエイトが前記クランク軸の複数のクランクウエブの間を回転する位置に配置されることを特徴とする。
【発明の効果】
【００１１】
請求項１記載の内燃機関の軸配置構造によれば、シリンダを変速機側に傾斜させた内燃機関のクランク軸に関して変速機とは反対側に配置されるバランサ軸が、クランク軸より上方位置であって、バランスウエイトの回転軌跡の上部がシリンダの最下端よりも上方に位置するように配置されるので、クランク軸の斜め上方にバランサ軸があってクランク軸とバランサ軸との水平方向距離を小さくすることができ、内燃機関の小型化とマスの集中を図ることができるとともに、クランク軸はバランサ軸より下方位置にあって比較的低い位置に配置され、内燃機関の重心を低く抑えることができる。
【００１２】
請求項２記載の内燃機関の軸配置構造によれば、入力軸から動力伝達される出力軸が、入力軸に関してクランク軸と反対側で入力軸より上方に配置され、出力軸より下方に位置する入力軸にクランク軸の回転を伝達制御する変速クラッチ等の変速制御手段がシリンダの下端と入力軸の軸方向視で一部重なるように軸支されるので、内燃機関の上下幅を抑えてさらに小型化することができる。
【００１３】
請求項３記載の内燃機関の軸配置構造によれば、クランク軸と略同じ高さに入力軸が配置され、後輪を支持するリヤフォークの枢支軸と略同じ高さに出力軸が配置されるので、リヤフォークの枢支軸より下方に自身重量物であるクランク軸や変速制御手段などの重量物を軸支する入力軸が配置され、内燃機関のさらなる低重心化を図ることができる。
【００１４】
請求項４記載の内燃機関の軸配置構造によれば、クランク軸の複数のクランクウエブの間をバランスウエイトが回転する位置に、バランサ軸が配置されるので、クランク軸とバランサ軸を極力近づけてクランク室を小型化しながら、バランスウエイトを高い位置に配置してクランク室内でのオイルの攪拌を抑えてオイル内への気泡の混入を防止するとともに、バランサ軸の回転抵抗を抑制することができる。
【発明を実施するための最良の形態】
【００１５】
以下、本発明に係る一実施の形態について図１ないし図７に基づいて説明する。
本実施の形態に係る内燃機関Ｅは、内燃機関Ｅの後方に変速機Ｍを一体に備えて自動二輪車に搭載される。
なお、本実施の形態において、前後左右は、車両を基準としたときの前後左右に一致するものとする。
【００１６】
自動二輪車の一部省略した部分側面図である図１および同平面図である図２を参照して、車体フレーム１のヘッドパイプ２から２股に分かれて後方へ斜め下向きに延出したメインフレーム３が後部を下向きに屈曲させてピボットプレート３ｐを形成しており、同左右一対のメインフレーム３の中央よりヘッドパイプ２寄り位置から垂設されたブラケット３ｂの下端の支軸４ａとピボットプレート３ｐの上下部位の支軸４ｂ，４ｃの３支軸４ａ，４ｂ，４ｃで内燃機関Ｅは、メインフレーム３に懸架される。
左右一対のピボットプレート３ｐ，３ｐの中央高さ位置に架設されたピボット軸５に、図示しない後輪を支持するリヤフォーク６が揺動自在に前端を軸支されている。
【００１７】
内燃機関Ｅは、水冷式の単気筒４ストローク内燃機関であり、図５を参照して、車両の車幅方向でもある左右方向に指向してクランク軸20を軸支するクランクケース11は、クランク軸20が配置されるクランク室Ｃｃを形成するとともに、クランク室Ｃｃの後方には垂直な仕切壁11ｍで仕切られて変速機Ｍを収容するミッション室Ｃｍが形成され、クランク室Ｃｃの下方には略水平な仕切壁11ｏで仕切られてオイルを貯留するオイルパン室Ｃｏが一体に形成される構造をしている。
【００１８】
単気筒４ストローク内燃機関Ｅは、上記クランクケース11のクランク室Ｃｃの上に、１本のシリンダ12ａを有するシリンダブロック12と、シリンダブロック12の上部にガスケットを介してヘッドボルトｈ１，ｈ２により結合されるシリンダヘッド13と、シリンダヘッド13の上部に結合されるシリンダヘッドカバー14とから構成される機関本体を備える。
【００１９】
クランクケース11の上に重ねられるシリンダブロック12，シリンダヘッド13，シリンダヘッドカバー14は、クランクケース11から若干後傾した姿勢で上方に延出している（図１のクランク軸を通る垂直線Ｖおよび水平線Ｈとシリンダ軸線Ｌｃを参照）。
このようにシリンダが後傾姿勢にある内燃機関Ｅのクランクケース11の前半上部がクランク室Ｃｃであり、後半部がミッション室Ｃｍとなっている。
なお、クランク室Ｃｃの下方のオイルパン室Ｃｏは、クランクケース11の下方に延出して一体に形成されたオイルパン15の内側の室である。
【００２０】
メインフレーム３に支持された内燃機関Ｅは、メインフレーム３より下方で、ブラケット３ｂとピボットプレート３ｐとの間に懸架され、下方のクランクケース11から後傾して上方に延出したシリンダブロック12，シリンダヘッド13，シリンダヘッドカバー14のうちシリンダヘッド13とシリンダヘッドカバー14が、左右一対のメインフレーム３，３間に位置している。
【００２１】
クランクケース11のミッション室Ｃｍには、変速機Ｍのメイン軸21とカウンタ軸22とが、クランク軸20と平行に左右水平方向に指向して配設されており、カウンタ軸22はクランクケース11を左方に貫通して外部に突出して出力軸となっており、突出した左端に駆動チェーンスプロケット23が嵌着されている。
【００２２】
カウンタ軸22はリヤフォーク６を軸支するピボット軸（枢支軸）５の前方に同じ高さで近接した位置にあり、カウンタ軸22に嵌着された駆動チェーンスプロケット23に巻き掛けられる駆動チェーン24が、リヤフォーク６の後端に設けられる図示されない被動チェーンスプロケットに架渡されてチェーン伝達機構が構成され後輪側に動力が伝達される。
なお、図４の内燃機関の右側面図には、クランク軸20，バランサ軸55，メイン軸21，カウンタ軸22，ピボット軸５の各回転中心20ｃ，55ｃ，21ｃ，22ｃ，５ｃを黒点で示している。
【００２３】
シリンダヘッド13は、前面から斜め上方に吸気ポート13ｉの延長である吸気通路16ｉが延出し、同吸気通路16ｉにスロットルボディ17が左右一対のメインフレーム３，３間で連結されており、スロットルボディ17の吸気通路上流側は開放されている。
また、若干後傾したシリンダヘッド13の後面からは、排気ポート13ｅの延長である排気通路16ｅが後方に略水平に延出しており、同排気通路16ｅに排気管18が左右一対のメインフレーム３，３間で連結されている。
【００２４】
排気通路17の連結出口は車体の右寄りに位置して、図２に示すように排気管18の上流連結端18ａは、車体の左右方向中心軸Ｌｂに対して右寄りの位置（内燃機関Ｅのシリンダ軸線Ｌｃの存在する左右方向位置）で排気通路16ｅに連結されている。
【００２５】
このように後傾したシリンダヘッド13の後面の排気通路17に連結されて略水平に後方へ延出した排気管18は、クランクケース11の後半部の変速機Ｍが収納されるミッション室Ｃｍの上方空間を左方向に湾曲し徐々に下降しながら前方に向きを変えて、左側のメインフレーム３の下を通り、内燃機関Ｅのシリンダブロック12の左側面に沿って前方斜め下向きに延び、クランクケース11の前面に回り込んだ後に急角度に下方に延びてクランクケース11の下端（オイルパン15の下端）に至ると、車体の左右方向中央でオイルパン15の下端を後方に回り込んでマフラー19に連結されている（図１，図２参照）。
【００２６】
クランクケース11の下面は、オイルパン15の前部が下方に突出して最低位置にあり、後方に行くに従い上昇する傾斜面をなし、後部のミッション室11の下方では概ね水平となっており、排気管18に連結されたマフラー19はこのクランクケース11の下面に沿って後方に延びている。
【００２７】
車体フレーム１は、各部に分割された合成樹脂製のカバー部材を連結した車体カバーにより全体が覆われており、特に内燃機関Ｅの左右側方はボディカバー７で覆われている。
左右のボディカバー７は、下部に行くにしたがい互いに接近して、最下端が互いに連結された先細形状を形成しており、前記排気管18およびマフラー19が下方をボディカバー７で覆われて保護されている（図７，図８参照）。
【００２８】
シリンダブロック12の下部に結合されるクランクケース11は、シリンダ軸線Ｌｃを含むと共にクランク軸20と直交する平面で左右に２分割された１対のケースである左クランクケース11Ｌと右クランクケース11Ｒとが、互いの合せ面11Ls，11Rs（図５，図９も参照）が合わせられた状態で、ボルトにより結合されて構成される。
【００２９】
左右クランクケース11Ｌ，11Ｒが合わされて形成されるクランク室Ｃｃに左右方向に指向して回転自在に軸支されるクランク軸20は、クランクピン20ｐで連結された左右クランクウエブ20ｗ，20ｗから左右に軸体20Ｌ，20Ｒが同軸に延びた形状の一体に成型されたものである。
かかるクランク軸20における左右軸体20Ｌ，20Ｒのクランクウエブ20ｗ，20ｗと隣接する部分が軸受されるジャーナル部20Lj，20Rjである。
【００３０】
左右クランクケース11Ｌ，11Ｒの主軸受部11Lb，11Rbに挟まれた空間がクランク室Ｃｃで、左右クランクウエブ20ｗ，20ｗが収容され、その左右のジャーナル部20Lj，20Rjがそれぞれメタル軸受25，25を介して主軸受部11Lb，11Rbに軸支される。
左右クランクケース11Ｌ，11Ｒの合体でクランク室Ｃｃの上方に形成された円開口に、シリンダブロック12のシリンダ12ａの下部が嵌入され、シリンダ12ａのシリンダボア12ｂ内にピストン30が往復摺動自在に嵌合される。
【００３１】
ピストン30のピストン頂部31の裏面に突出された一対のピンボス34，34間にピストンピン38が架設され、同ピストンピン38に小端部が軸支されクランク軸20のクランクピン20ｐに大端部が大端メタル39ａを介して軸支されたコンロッド39によりピストン30とクラン軸20が連接されてクランク機構が構成されている。
【００３２】
左クランクケース11Ｌは左側主軸受部11Lbより左側にチェーン室11ccが形成され、クランク軸20の左側主軸受部11Lbより左方に突出した左軸体20Ｌは、チェーン室11ccを貫通し、さらに左クランクケース11Ｌの左側壁の開口を貫通しており、チェーン室11ccに相当する部分にはオイルポンプ駆動スプロケット20osと駆動カムチェーンスプロケット20csが形成され、左端にはＡＣジェネレータ26のアウタロータ26ｒが嵌着されている。
【００３３】
左クランクケース11Ｌの左側壁におけるクランク室Ｃｃおよびオイルパン15の側方の開口を塞ぐ左サイドカバー40に、ＡＣジェネレータ26のコイルが巻回されるインナステータ26ｓが固定されて、その周囲に磁石を保持したアウタロータ26ｒが回転するＡＣジェネレータ26が構成される。
左サイドカバー40は椀状をして、その底面中央から突出した円筒部41がクランク軸20の左端部に被せられて、同円筒部41にボルト26ｂによりインナステータ26ｓの固定子鉄心が固着される。
【００３４】
他方、クランク軸20における右クランクケース11Ｒの右側主軸受部11Rbより右方に突出した右軸体20Ｒには、主軸受部11Rb寄りからバランサ駆動ギヤ27ａと主駆動ギヤ28ａが嵌合されてワッシャ29ｗを介してフランジボルト29により固着されている（図６，図７参照）。
【００３５】
バランサ駆動ギヤ27ａは、左クランクケース11Ｌおよび右クランクケース11Ｒに１対の軸受55ｂ，55ｂを介して回転可能に支持されるバランサ軸55の右軸端部に設けられるバランサ被動ギヤ27ｂに噛合する（図７参照）。
なお、バランサ軸55の右軸端部には、バランサ被動ギヤ27ｂのほかに水ポンプ駆動ギヤ59ａが嵌着されている。
【００３６】
左右クランクウエブ20ｗ，20ｗ間を回転するバランスウエイト55ｗを有するバランサ軸55は、クランク軸20の前方の斜め上方位置に配置され、バランサ駆動ギヤ27ａとバランサ被動ギヤ27ｂの噛合を介してクランク軸20により該クランク軸20と等速で逆方向に回転駆動されて、ピストン30の往復運動により発生する１次振動を低減する。
【００３７】
クランク室Ｃｃの後方のミッション室Ｃｍに配設される変速機Ｍは、メインギヤ群21ｇおよびカウンタギヤ群22ｇがそれぞれ設けられた前記メイン軸21およびカウンタ軸22と、変速操作機構により操作されるシフトドラム53およびシフトフォーク54ａ，54ｂ，54ｃを有する変速切換え機構52とを備える（図４参照）。
【００３８】
図４を参照して、右クランクケース11Ｒの上壁部の所定箇所にオイル注入口110が形成されており、同オイル注入口110の下方にメインギヤ群21ｇとカウンタギヤ群22ｇが噛合する部位があり、よって、オイル注入口110からオイルを注入してメンテナンスを終えた直後であってもメインギヤ群21ｇとカウンタギヤ群22ｇの噛合いの潤滑を良好にすることができる。
【００３９】
メイン軸21は、クランク軸20と略同じ上下位置にあって、左右クランクケース11Ｌ，11Ｒに軸受21ｂ，21ｂを介して回転可能に軸支され、右側軸受21ｂより右方に突出した部分に変速制御手段としての多板摩擦式の変速クラッチ50が配置され、同変速クラッチ50に設けられる主被動ギヤ28ｂが前記主駆動ギヤ28ａと噛合して１次減速機構が構成されている。
変速クラッチ50は、多数のクラッチ板50ｐを備え、クラッチ操作機構により操作されて変速機Ｍへのクランク軸20の動力の伝達および遮断を行う。
【００４０】
カウンタ軸22は、メイン軸21の後方の斜め上方に位置して、左右クランクケース11Ｌ，11Ｒに軸受22ｂ，22ｂを介して回転可能に軸支され、左側軸受22ｂより外部に突出した左端に前記チェーン駆動スプロケット23が嵌着される。
【００４１】
したがって、内燃機関Ｅの動力は、クランク軸20から、１次減速機構28ａ，28ｂおよびクラッチ45を介して変速機Ｍに伝達され、変速機Ｍのメインギヤ群21ｇとカウンタギヤ群22ｇとの噛合において変速された出力が、カウンタ軸22からチェーン伝達機構を介して図示されないチェーン被動スプロケットに伝達され、さらに２次減速機構（図示されず）を介して後輪に伝達される。
【００４２】
右クランクケース11Ｒの右側面には、オイルパン15を除くクランク室Ｃｃと変速室Ｃｍの側方に右サイドカバー45が被せられる。
右サイドカバー45は、前記変速クラッチ50の周囲を覆い開口する円筒部45ａ、クランク軸20の軸方向箇所に円開口45ｂが形成されるとともに、円開口45ｂの上方に水ポンプ56のポンプボディ45ｃが形成されており、円筒部45ａの開口にはクラッチカバー46が被せられ、円開口45ｂには蓋部材47が嵌合され、水ポンプボディ45ｃには水ポンプカバー48が被せられる。
【００４３】
なお、水ポンプ56は、水ポンプ駆動軸57が左右方向に指向して水ポンプボディ45ｃおよび右クランクケース11Ｒに回転自在に軸支され、同水ポンプ駆動軸57の右端に嵌着されたインペラ58が水ポンプカバー48に覆われる。
水ポンプ駆動軸56ａには水ポンプ被動ギヤ59ｂが嵌着されていて、同水ポンプ被動ギヤ59ｂはより前方の前記バランサ軸55の右軸端部に嵌着された水ポンプ駆動ギヤ59ａと噛合し、バランサ軸55の回転動力が水ポンプ56の駆動に伝達される。
【００４４】
内燃機関Ｅは、ＤＯＨＣ型の動弁機構を備え、図５および図６を参照して、シリンダヘッド13には、シリンダ12ａに対応して、シリンダ軸線方向でピストン30に対向して燃焼室60が構成され、該燃焼室60に前記吸気ポート13ｉが前半部左右に１対開口し、前記排気ポート13ｅが後半部左右に１対開口しており、燃焼室60の天井壁中央には点火栓61が先端を燃焼室60に臨ませて取り付けられる。
【００４５】
シリンダヘッド３に一体に嵌着された弁ガイド64ｉ，64ｅにそれぞれ摺動可能に支持される吸気弁62および排気弁63は、内燃機関Ｅに備えられる動弁装置65により駆動されて、吸気ポート13ｉの吸気開口および排気ポート27の排気開口をクランク軸20の回転に同期して開閉する。
【００４６】
動弁装置65は、シリンダヘッド13とシリンダヘッドカバー14により形成される動弁室14ｖ内に設けられ、左右１対の吸気弁62の上を左右方向に指向して配設された吸気カム軸66と左右１対の排気弁63の上を左右方向に指向して配設された排気カム軸67が、シリンダヘッド13とカムホルダ68ｉ，68ｅに挟まれるようにして回転自在に軸支されている。
【００４７】
吸気カム軸66のカムロブ66ｃが弁ばね62ｓにより上方に付勢された吸気弁62の上端に被せられたバルブリフタ62ｌの上面に接し、吸気カム軸66と一体のカムロブ66ｃの回転により吸気弁62が所要のタイミングで開閉駆動し、同様に排気カム軸67のカムロブ67ｃが弁ばね63ｓにより上方に付勢された排気弁63の上端に被せられたバルブリフタ63ｌの上面に接し、排気カム軸67と一体のカムロブ67ｃの回転により排気弁63が所要のタイミングで開閉駆動する。
【００４８】
吸気カム軸66と排気カム軸67は、それぞれの左軸端部に被動カムチェーンスプロケット66ｓ，67ｓが嵌着されて、この２つの被動カムチェーンスプロケット66ｓ，67ｓと前記クランク軸20の左軸体20Ｌに形成された駆動カムチェーンスプロケット20csとの間にカムチェーン69が架渡され（図６参照）、クランク軸20の回転動力がカムチェーン69を介して吸気カム軸66と排気カム軸67の回転に伝達され、クランク軸20に同期して吸気カム軸66と排気カム軸67が回転して吸気弁62と排気弁63が開閉駆動する。
【００４９】
内燃機関Ｅの潤滑系について部分的に説明すると、図５を参照して、クランクケース11のクランク室Ｃｃと下方のオイルパン室Ｃｏとを仕切る仕切壁11ｏは、クランクウエブ20ｗの回転軌跡に沿ってクランク室Ｃｃの下半部を略円弧状に仕切っており、その後部にトロコイド型のスカベンジポンプ70のロータ収容室71が形成されている。
【００５０】
ロータ収容室71は、左クランクケース11Ｌに合せ面11Lsに臨んで凹出形成される左ロータ収容凹部71Ｌと右クランクケース11Ｒに合せ面11Rsに臨んで凹出形成される右ロータ収容凹部71Ｒとがポンプ駆動軸72の軸方向に連通して構成されている（図７参照）。
【００５１】
本スカベンジポンプ70の左右ロータ収容凹部71Ｌ，71Ｒには、それぞれ左右アウタロータ73Ｌ，73Ｒが収容され、左右アウタロータ73Ｌ，73Ｒの内側にそれぞれ左右インナロータ74Ｌ，74Ｒが収容されており、左右インナロータ74Ｌ，74Ｒは共通のポンプ駆動軸72に嵌着されて一体に回動する。
【００５２】
このロータ収容室71から前方に仕切壁11ｏの上側に仕切壁11ｏに沿って延びる水平壁11ｈにより仕切壁11ｏとの間に吸入油路Ａ１が形成され、ロータ収容室71の上壁部に吐出油口Ａ２が上方に向けて開口している。
スカベンジポンプ70は、オイルパン室Ｃｏの上部にあって、吐出油口Ａ２はオイルパン室Ｃｏの後方の上部空間に開口している。
【００５３】
この左右クランクケース11Ｌ，11Ｒの両合せ面11Ls，11Rsに構成されるスカベンジポンプ70の左方にトロコイド型のフィードポンプ80が、左クランクケース11Ｌにロータ収容室81を形成して設けられている（図７参照）。
ロータ収容室81の左側開口を蓋部材82が閉塞して内部にアウタロータ83とインナロータ84を収容する。
【００５４】
このフィードポンプ80と前記スカベンジポンプ70は、図７に示すように、ポンプ駆動軸72を共通とし、同ポンプ駆動軸72にフィードポンプ80のインナロータ84が嵌着されるとともに、スカベンジポンプ70の左右インナロータ74Ｌ，74Ｒが嵌着されて、一体に回動する。
【００５５】
ポンプ駆動軸72の蓋部材82より左方に突出した端部にオイルポンプ被動スプロケット86ｓが嵌着され、同オイルポンプ被動スプロケット86ｓと前記クランク軸20に形成されたオイルポンプ駆動スプロケット20osとの間にオイルポンプ駆動チェーン87が架渡され、クランク軸20の回転動力がスカベンジポンプ70とフィードポンプ80の駆動に伝達される。
【００５６】
図３を参照して、フィードポンプ80のロータ収容室81は、その吸入ポートから前方に通路壁81ａが延出しており、その前端開口に吸油管91の上端が連結される。
吸油管91は、連結部からオイルパン室Ｃｏ内を斜め下方に直線的に延び、下端に設けられたオイルストレーナ90がオイルパン室Ｃｏの前部の最低底面の近傍に配置されている。
したがって、オイルパン15のオイルパン室Ｃｏに貯留されたオイルは、フィードポンプ80の駆動によりオイルストレーナ90で浄化されて吸油管91内の吸入油路Ｂ１を吸い上げられ、通路壁81ａ内の吸入ケース油路Ｂ２を通って吸入される。
【００５７】
左クランクケース11Ｌにおけるフィードポンプ80のロータ収容室81の吐出ポートからは、後方斜め下向きに吐出ケース油路Ｂ３が形成され、同吐出ケース油路Ｂ３の後部から左クランクケース11Ｌの周壁に沿って左方に屈曲して吐出ケース油路Ｂ４が形成されている（図７参照）。
なお、吐出ケース油路Ｂ３の途中にはリリーフ弁85が設けられており、吐出油圧が設定圧を超えたときは吐出油の一部をオイルパン室Ｃｏに戻すようになっている。
【００５８】
左クランクケース11Ｌに左方から被せられる左サイドカバー40には、その合せ面で前記吐出ケース油路Ｂ４に連通する吐出ケース油路Ｂ５が、オイルフィルタ92まで延出形成されている（図３，図７参照）。
オイルフィルタ92は、左クランクケース11Ｌにおけるクランク軸20の左端部を覆う円筒部41と後端の吐出ケース油路Ｂ４に対応する部分との間に有底円筒状のフィルタハウジング93を形成して設けられる。
【００５９】
オイルフィルタ92は、図３の側面視で、フィードポンプ80（およびスカベンジポンプ70）と重なるとともに、変速機Ｍのメイン軸21の左端に支持される変速クラッチ50とも重なる。
【００６０】
図７を参照して、フィルタエレメント92ｅを収容するフィルタハウジング93の左方開口に嵌挿されるフィルタ蓋部材94に、オイルフィルタ92から流出するオイルを案内する流出ケース油路Ｂ６が形成され、同流出ケース油路Ｂ６に連通するケース油路Ｂ７が、左サイドカバー40に前記クランク軸20の左端部を覆う円筒部41内まで延びて形成されている。
クランク軸20が挿入された有底円筒部41は、クランク軸20の周囲に嵌装されたオイルシール100により底部の内空間41ｓが油密に仕切られて形成されており、この内空間41ｓにケース油路Ｂ７が連通している（図７参照）。
【００６１】
クランク軸20は、左軸体20Ｌ、左クランクウエブ20ｗ、クランクピン20ｐ、右クランクウエブ20ｗ、右ジャーナル部20Rjの各内部に連続した軸油路Ｃ１，Ｃ２，Ｃ３が穿設されており、左軸体20Ｌ内部の軸油路Ｃ１は、左端が内空間41ｓに開口し、右側の左ジャーナル部20Ljからは枝軸油路Ｃｊが径方向に分岐して延び左ジャーナル部20Ljの外周面に開口している。
軸油路Ｃ２と軸油路Ｃ３が交差するクランクピン20ｐからは枝軸油路Ｃｐが径方向に分岐して延びクランクピン20ｐの外周面に開口し、軸油路Ｃ３の右端の右ジャーナル部20Rjからは径方向に軸油路Ｃ４が軸油路Ｃ３の延長として延び右ジャーナル部20Rjの外周面に開口している。
【００６２】
右側主軸受部11Rbにおいて、この軸受孔の段差部位に一端を開口したピストンジェット油路Ｊ１がシリンダボア12ｂ内に向けて斜め上方に延び、他端開口にジェットノズルＮ１が装着されている。
該ジェットノズルＮ１からシリンダボア12ｂ内に向けて斜め上方に噴射され（図５，図６参照）、シリンダボア12ｂ内を往復摺動するピストン30の裏面にオイルが当たり飛散してピストン30を裏面から冷却する。
【００６３】
一方で、図３を参照して、左サイドカバー40のクランク軸20の左端が挿入される内空間41ｓから左サイドカバー40の側壁内を後方斜め上向きにケース油路Ｄ１が延び、次いで右方向に屈曲したケース油路Ｄ２が左クランクケース11Ｌの左側主軸受部11Lbのピストンジェット油路Ｊ２に連通している。
ジェットノズルＮ２は、ピストンジェット油路Ｊ２からオイルの供給を受け、シリンダボア12ｂ内に向けて斜め上方にオイルを噴射し（図５，図６参照）、シリンダボア12ｂ内を往復摺動するピストン30の裏面に当てピストン30を裏面から冷却する。
【００６４】
以上のような構造をなす内燃機関Ｅは、車体幅方向（左右方向）に指向させたクランク軸20の後方に変速機Ｍが設けられ、クランクケース11から上方に突出するシリンダ12ａが幾らか後方に傾斜した後傾シリンダである。
【００６５】
そして、クランク軸20に関して後方の変速機Ｍとは反対側の前方に配置されるバランサ軸55は、図５に図示するように、クランク軸20より上方位置に位置している。
図５に、バランサ軸55のバランスウエイト55ｗの回転軌跡Ｔｂを２点鎖線の円で示すとともに、後傾したシリンダ12ａの最下端の上下位置Ｌｓを２点鎖線の水平直線で示す。
バランサ軸55のバランスウエイト55ｗの回転軌跡Ｔｂの上部がシリンダ12ａの最下端の上下位置Ｌｓよりも上方に位置している。
【００６６】
したがって、クランク軸20の斜め上方にバランサ軸55があってクランク軸20とバランサ軸55との水平方向距離を小さくすることができ、内燃機関Ｅの小型化およびマスの集中を図ることができるとともに、クランク軸20はバランサ軸55より下方位置にあって比較的低い位置に配置され、内燃機関Ｅの重心を低く抑えることができる。
【００６７】
メイン軸（入力軸）21から動力伝達されるカウンタ軸（出力軸）22が、メイン軸21に関してクランク軸20と反対側でメイン軸21より上方に配置され、図４に示すように、カウンタ軸22より下方に位置するメイン軸21にクランク軸20の回転を伝達制御する変速クラッチ50がシリンダ12ａの下端と軸方向視で一部重なるように軸支されるので、内燃機関Ｅの上下幅を抑えてさらに小型化することができる。
【００６８】
図１を参照して、クランク軸20と略同じ高さに変速機Ｍの入力軸であるメイン軸21が配置され、後輪を支持するリヤフォーク６のピボット軸５と略同じ高さに出力軸であるカウンタ軸22が配置される。
図１を参照して、カウンタ軸22と略同じ高さにあるピボット軸５とを含む平面Ｓを想定すると、この平面Ｓより下方にクランク軸20とメイン軸21が配置される。
すなわち、リヤフォーク６のピボット軸５より下方に、ＡＣジェネレータ26を備えるとともにそれ自体重量物であるクランク軸20や変速クラッチ50などの重量物を軸支するメイン軸21が配置され、内燃機関Ｅのさらなる低重心化を図ることができる。
【００６９】
図７に示すように、クランク軸20の２つのクランクウエブ20ｗ，20ｗの間をバランスウエイト55ｗが回転する位置に、バランサ軸55が配置されるので、クランク軸20とバランサ軸55を極力近づけてクランク室Ｃｃを小型化しながら、バランスウエイト55ｗを高い位置に配置してクランク室Ｃｃ内でのオイルの攪拌を抑えてオイル内への気泡の混入を防止するとともに、バランサ軸55の回転抵抗を抑制することができる。
【００７０】
図４に示すように、カウンタ軸22上のカウンタギヤ群22ｇが、シリンダ12ａの最下端の上下位置Ｌｓよりも上方にはみ出す位置まで高く配置されているので、メイン軸21より後方に配置されるカウンタ軸22をできるだけ前寄りに位置させて、マスの集中を図ることを可能としている。
また、図４を参照して、バランサ軸55のバランスウエイト55ｗの回転軌跡が、シリンダ12ａの最前端の前後位置Ｆｓに側面視で一部重なる程に、内燃機関Ｅの前部に位置するバランサ軸55が後方に引っ込んでいて、よって内燃機関Ｅの前後長を小さく抑えることができる。
【図面の簡単な説明】
【００７１】
【図１】本発明の一実施の形態に係る内燃機関を搭載した自動二輪車の一部省略した部分側面図である。
【図２】同平面図である。
【図３】内燃機関の左側面図である。
【図４】内燃機関の一部省略した右側面図である。
【図５】内燃機関のクランクケースの合せ面で切断した左断面図である。
【図６】図３のVI−VI線断面図である。
【図７】図３のVII−VII線断面図である。
【符号の説明】
【００７２】
Ｅ…内燃機関、Ｍ…変速機、３…メインフレーム、５…ピボット軸（枢支軸）、６…リヤフォーク、11…クランクケース、Ｃｃ…クランク室、Ｃｍ…ミッション室、Ｃｏ…オイルパン室、11…クランクケース、12…シリンダブロック、12ａ…シリンダ、12ｂ…シリンダボア、13…シリンダヘッド、14…シリンダヘッドカバー、15…オイルパン、
20…クランク軸、20ｐ…クランクピン、20ｗ…クランクウエブ、21…メイン軸、22…カウンタ軸（出力軸）、26…ＡＣジェネレータ、30…ピストン、39…コンロッド、
50…変速クラッチ（変速制御手段）、55…バランサ軸、55ｗ…バランスウエイト。
【図１】
0004927764.tif 000002
【図２】
0004927764.tif 000003
【図３】
0004927764.tif 000004
【図４】
0004927764.tif 000005
【図５】
0004927764.tif 000006
【図６】
0004927764.tif 000007
【図７】
0004927764.tif 000008